(57)【要約】本発明は、ネットワークの第１のアクセスポイントの構成方法に関係する。方法は、少なくとも１つの低電力チャネル上で、低電力で送信することが可能な少なくとも１つのアクセスポイントを備える低電力セットに属するような第１のアクセスポイントの構成ステップと、低電力セットに対する第１のアクセスポイントのメンバーシップを表す情報の要素の送信ステップと、を含む。
2015521002.tif 000002
【特許請求の範囲】
【請求項１】
ネットワーク（１００）の第１のアクセスポイント（ＬＰＣ＿ＡＰ  Ａ、ＬＰＣ＿ＡＰ  Ｂ）の構成方法であって、前記第１のアクセスポイントで実現される、
−  少なくとも１つの低電力チャネル上で、低電力で送信することが可能な少なくとも１つのアクセスポイントを備える低電力セットに属するような前記第１のアクセスポイントの構成ステップ（５０）と、
−  前記低電力セットに対する前記アクセスポイントのメンバーシップを表す情報の要素の送信ステップ（５３）と、
を含むことを特徴とする、前記構成方法。
【請求項２】
前記構成ステップは、低電力チャネル上で前記第１のアクセスポイントにより送信される信号電力は前記第１の閾値よりも小さい、第１の閾値の決定を含むことを特徴とする、請求項１に記載の方法。
【請求項３】
−  前記第１のアクセスポイントによる低電力チャネルの選択ステップ（５２）であって、前記選択は、一組の少なくとも１つのチャネルのチャネル上で近隣アクセスポイントにより送信される信号の受信電力に依存的である、前記選択ステップ（５２）
を含むことを特徴とする、請求項１または２に記載の方法。
【請求項４】
低電力チャネルの前記選択ステップ（５２）の間に、低電力チャネルは、前記近隣アクセスポイントにより送信される信号の前記受信電力が第２の閾値よりも小さい、前記少なくとも１つの低電力チャネルから選択されることを特徴とする、請求項３に記載の方法。
【請求項５】
低電力チャネルの前記選択ステップ（５２）の間に、低電力チャネルは、前記少なくとも１つの低電力チャネルの各々において前記近隣アクセスポイントにより送信される信号の前記受信電力が前記第２の閾値よりも大きいときは選択されないことを特徴とする、請求項４に記載の方法。
【請求項６】
低電力チャネルの選択ステップ（５２）の間に、低電力チャネルは、近隣アクセスポイントの数が最大である、前記少なくとも１つの低電力チャネルの中でさらに選択されることを特徴とする、請求項４に記載の方法。
【請求項７】
低電力チャネルの選択ステップ（５２）の間に、低電力チャネルは、近隣アクセスポイントの数が第３の閾値より低い、前記少なくとも１つの低電力チャネルの中でさらに選択されることを特徴とする、請求項４または６に記載の方法。
【請求項８】
低電力チャネルの前記選択ステップ（５２）の間に、低電力チャネルは、前記少なくとも１つの低電力チャネルの各々の上での近隣アクセスポイントの前記数は前記第３の閾値よりも大きいときは選択されないことを特徴とする、請求項７に記載の方法。
【請求項９】
低電力チャネルの前記選択ステップ（５２）の間に、低電力チャネルは、前記近隣アクセスポイントにより送信される信号の前記受信電力が最低である、前記少なくとも１つの低電力チャネルからさらに選択されることを特徴とする、請求項４乃至８のいずれか一項に記載の方法。
【請求項１０】
チャネル上で前記近隣アクセスポイントにより送信される信号の前記受信電力は、
−  前記チャネル上で前記近隣アクセスポイントの各々により送信される任意の信号の前記第１のアクセスポイントによる前記受信電力、
−  決定された期間にわたる、前記チャネルにおいて前記近隣アクセスポイントの各々により送信される信号の前記第１のアクセスポイントによる平均受信電力、
−  前記近隣アクセスポイントの各々のビーコンフレームを含む信号を除く、前記チャネルにおいて前記近隣アクセスポイントの各々により送信される任意の信号の前記第１のアクセスポイントによる前記受信電力
から選定されることを特徴とする、請求項３乃至９のいずれか一項に記載の方法。
【請求項１１】
前記低電力セットに対する前記少なくとも１つの第１のアクセスポイントの前記メンバーシップを表す前記情報の前記第１のアクセスポイントによる前記送信ステップ（５３）は、ビーコンフレームの前記送信を含み、前記ビーコンフレームは前記情報を含むことを特徴とする、請求項１乃至１０のいずれか一項に記載の方法。
【請求項１２】
前記ビーコンフレームは、前記第１の閾値よりも大きな電力レベルで送信されることを特徴とする、請求項２または１１に記載の方法。
【請求項１３】
前記ビーコンフレームは、請求項１２に記載の前記ビーコンフレームの送信のレベルを表す情報の要素を含むことを特徴とする、請求項１１または１２に記載の方法。
【請求項１４】
請求項１乃至１３のいずれか一項に記載の方法を実現するデバイス。
【請求項１５】
ネットワーク（１００）の構成のための方法であって、少なくとも１つの構成デバイスで実現される以下のステップ、すなわち、
−  少なくとも１つの低電力チャネルを含む周波数空間の予約ステップ（４０）と、
−  前記少なくとも１つの低電力チャネル上で、低電力で送信することが可能な少なくとも１つのアクセスポイントを備える低電力セットの構成ステップ（４１）であって、前記少なくとも１つのアクセスポイントに対する構成情報の要素を送出するステップを含む、構成ステップ（４１）と、
を含むことを特徴とする、前記方法。
【発明の詳細な説明】
【技術分野】
【０００１】
本発明は、電気通信の対象領域に関係し、より詳細には、ワイヤレスネットワーク内の電力および周波数の構成に関係する。
【背景技術】
【０００２】
従来技術によると、ＷＬＡＮ（ワイヤレスローカルエリアネットワーク）ネットワークのいくつかのアーキテクチャが知られている。それらの一部は、単一のアクセスポイントを使用して、家、またはビルディングの床面などの空間をカバーすることを、例えば、ＭＩＭＯ（多入力多出力（Multiple Input Multiple Output））またはＯＦＤＭ（直交周波数分割多重）などの異なる精巧な技術と組み合わされた高送信電力の使用により行う。ゆえに（規格８０２．１１ｎをベースにする）Ｗｉ−Ｆｉ（登録商標）ネットワークのアクセスポイントは、ＭＩＭＯおよびＯＦＤＭ技術によって９０メートルの半径の範囲内で１００Ｍｂｉｔ／ｓの現実のビットレートに達する。単一のアクセスポイントをベースにするそのようなアーキテクチャは、近隣領域に関する高レベルの干渉を生み出し、および、特に、送信される信号の強い減衰を引き起こす壁などの物理的障害物によりアクセスポイントから分離される一部の区域で、カバーされるべき空間全体をカバーしない恐れがあるという欠点を呈する。その上、高められた送信電力の使用によって、電磁放射に長期間さらされることに結び付いたリスクに関わる公衆衛生の問題が立ち上がる。
【発明の概要】
【発明が解決しようとする課題】
【０００３】
他のワイヤレスローカルネットワークアーキテクチャは、いくつかのアクセスポイントを使用し、単一のアクセスポイントアーキテクチャでよりも弱い送信電力を用い、カバーされるべき空間内部に広げられ、例えば有線のバックボーンにより一体に接続される。しかしながらそのようなアーキテクチャは、構成するには複雑である。実際、アクセスポイントの各々のパラメータ（例えば、周波数チャネルおよび送信電力）を正しく構成して、最小限の干渉でカバーされるべき空間の全体的なカバレッジを確実にすることは困難である。送信電力のレベルが弱すぎると、空間の一部の区域はカバーされない恐れがあり、送信電力が強すぎると、異なるアクセスポイント間の干渉が高くなり過ぎる恐れがある。
【課題を解決するための手段】
【０００４】
本発明の目的は、従来技術のこれらの欠点の少なくとも１つを克服することである。
【０００５】
より詳細には、本発明の目的は、特に、少なくとも１つのアクセスポイントを備えるワイヤレスネットワークの構成を最適化することである。
【０００６】
本発明は、ネットワークの第１のアクセスポイントの構成方法に関係する。この方法は、少なくとも１つの低電力チャネル上で、低電力で送信することが可能な少なくとも１つのアクセスポイントを備える低電力セットに属するような第１のアクセスポイントの構成ステップと、低電力セットに対する第１のアクセスポイントのメンバーシップを表す情報の要素の送信ステップと、を含む。
【０００７】
個別の特徴によると、構成ステップは、第１の閾値の決定であって、低電力チャネル上で第１のアクセスポイントにより送信される信号電力が第１の閾値よりも小さい、決定を含む。
【０００８】
別の個別の特徴によると、この方法は、第１のアクセスポイントによる低電力チャネルの選択ステップであって、選択は、一組の少なくとも１つのチャネルのチャネル上で近隣アクセスポイントにより送信される信号の受信電力に依存的である、選択ステップを含む。
【０００９】
有利には、低電力チャネルの選択ステップの間に、低電力チャネルは、近隣アクセスポイントにより送信される信号の受信電力が第２の閾値よりも小さい少なくとも１つの低電力チャネルから選択される。
【００１０】
有利には、低電力チャネルの選択ステップの間に、低電力チャネルは、少なくとも１つの低電力チャネルの各々において近隣アクセスポイントにより送信される信号の受信電力が第２の閾値よりも大きいときは選択されない。
【００１１】
別の特徴によると、低電力チャネルの選択ステップの間に、低電力チャネルは、近隣アクセスポイントの数が最大である少なくとも１つの低電力チャネルの中でさらに選択される。
【００１２】
有利には、低電力チャネルは、近隣アクセスポイントの数が第３の閾値よりも小さい少なくとも１つの低電力チャネルから選択される。
【００１３】
有利には、低電力チャネルの前記選択ステップの間に、低電力チャネルは、少なくとも１つの低電力チャネルの各々において近隣アクセスポイントの数が第３の閾値よりも大きいときは選択されない。
【００１４】
別の特徴によると、低電力チャネルの選択ステップの間に、低電力チャネルは、前記近隣アクセスポイントの前記受信される電力が最低である少なくとも１つの低電力チャネルの中でさらに選択される。
【００１５】
有利には、低電力チャネルの選択ステップの間に、低電力チャネルは、低電力チャネルが近隣アクセスポイントにより使用されないときはランダムに選択される。
【００１６】
個別の特徴によると、チャネル上で近隣アクセスポイントにより送信される信号の受信電力は、
−  チャネル上で近隣アクセスポイントの各々により送信される任意の信号の第１のアクセスポイントによる受信電力、
−  決定された期間にわたる、チャネル上で近隣アクセスポイントの各々により送信される任意の信号の第１のアクセスポイントによる平均受信電力、
−  近隣アクセスポイントの各々のビーコンフレームを含む信号を除く、チャネル上で近隣アクセスポイントの各々により送信される任意の信号の第１のアクセスポイントによる受信電力、
から選定される。
【００１７】
特定の特徴によると、低電力セットに対する少なくとも１つのアクセスポイントのメンバーシップを表す情報の第１のアクセスポイントによる放出ステップは、ビーコンフレームの放出を含み、ビーコンフレームは、低電力セットに対するメンバーシップを表す情報を含む。
【００１８】
有利には、ビーコンフレームは、第１の閾値よりも大きな電力のレベルで送信される。
【００１９】
有利には、ビーコンフレームは、ビーコンフレームの電力のレベルを表す情報の要素を含む。この特徴は、ビーコンフレームが第１の閾値よりも大きなレベルで送信されるときに、データ信号の受信電力のレベルの推定に特に良く適合する。
【００２０】
別の態様によると、本発明は、前に説明された変形例の１つによってこの方法を実現するデバイスに関係する。本発明は、ネットワークの第１のアクセスポイントに関係する。第１のアクセスポイントは、少なくとも１つの低電力チャネル上で低電力で送信することが可能な少なくとも１つのアクセスポイントを備える低電力セットに対する第１のアクセスポイントのメンバーシップを表す情報の要素に適合する構成モジュールと、低電力セットに対する第１のアクセスポイントのメンバーシップを表す情報の要素を送信することを行うように適合するインターフェースと、を備える。
【００２１】
個別の特徴によると、構成モジュールは、低電力チャネル上で第１のアクセスポイントにより送信される信号電力が第１の閾値よりも小さくなるように第１の閾値を決定するように適合する。
【００２２】
別の個別の特徴によると、構成モジュールは、低電力チャネルを選択するように適合し、選択は、一組の少なくとも１つのチャネルのチャネル上で近隣アクセスポイントにより送信される信号のインターフェースによる受信電力に依存的である。
【００２３】
別の態様によると、本発明は、ネットワークの構成方法に関係する。この方法は、少なくとも１つの構成デバイスで実現される以下のステップ、すなわち、
−  少なくとも１つの低電力チャネルを含む周波数空間の予約ステップと、
−  少なくとも１つの低電力チャネル上で、低電力で送信することが可能な少なくとも１つのアクセスポイントを備える低電力セットの構成ステップであって、少なくとも１つのアクセスポイントに対する構成情報の要素を送出するステップを含む、構成ステップと、
を含む。
【００２４】
別の態様によると、本発明は、ネットワークの構成方法を実現するデバイスに関係する。本発明は、ネットワークの第１のアクセスポイントに関係する。デバイスは、少なくとも１つの低電力チャネルを含む予約周波数空間を表す情報の要素を記憶することを行うように適合したモジュールと、少なくとも１つの低電力チャネル上で、低電力で送信することが可能である少なくとも１つのアクセスポイントに対する構成情報の要素を送出するように適合した構成モジュールと、を備える。
【図面の簡単な説明】
【００２５】
添付される図面を参照する以下の説明を読むことで、本発明はより良く理解され、他の特定の特徴および利点が明らかになろう。
【図１】本発明の個別の実施形態による、ワイヤレスネットワークを実現するワイヤレスシステムを示す図である。
【図２】本発明の個別の実施形態による、図１のシステムのネットワークのアクセスポイントを図示する図である。
【図３】本発明の個別の実施形態による、図１のシステムのネットワークのクライアントを図示する図である。
【図４】本発明の個別の実施形態による、図１のシステムのワイヤレスネットワークの構成方法を示す図である。
【図５】本発明の個別の実施形態による、図１のシステムのワイヤレスネットワークの構成方法を示す図である。
【図６】本発明の個別の実施形態による、検出ステップの後の周波数チャネルのスペクトル例を示す図である。
【発明を実施するための形態】
【００２６】
図１は、ワイヤレスネットワーク１００を実現するワイヤレス通信システムを示す。ネットワーク１００は、３つのアクセスポイントＬＰＣ＿ＡＰ  Ａ、ＬＰＣ＿ＡＰ  Ｂ、およびＡＰ  Ｃを備える。アクセスポイントＬＰＣ＿ＡＰ  Ａは、アンテナによって、円形領域１２０Ａに対応する空間をカバーする。アクセスポイントＬＰＣ＿ＡＰ  Ｂは、アンテナによって、円形区域１２０Ｂに対応する空間をカバーする。最後にアクセスポイントＡＰ  Ｃは、アンテナによって、円形区域１２０Ｃに対応する空間をカバーする。ネットワーク１００は、ワイヤレスリンクを介してネットワークのアクセスポイントの１つに接続する、クライアントまたはいくつかのＳＴＡクライアントをさらに備える。このように説明されるネットワークは、有利には、Ｗｉ−Ｆｉ（登録商標）ネットワークを形成し、５ＧＨｚ周波数帯域に属する１または複数のチャネル周波数を使用する。
【００２７】
変形例によると、アクセスポイントＬＰＣ＿ＡＰ  Ａ、ＬＰＣ＿ＡＰ  Ｂ、およびＡＰ  Ｃは、ＳＩＳＯ（「１入力１出力（Single Input Single Output）」）タイプのものであり、単一のアンテナを有するのみである。同じように、ＳＴＡクライアントのすべてはＳＩＳＯタイプのものである。
【００２８】
別の変形例によると、すべてのアクセスポイントＬＰＣ＿ＡＰ  Ａ、ＬＰＣ＿ＡＰ  Ｂ、およびＡＰ  Ｃは、ＭＩＭＯタイプのものであり、ＭＩＭＯ信号を送信するいくつかのアンテナを有する。同じように、ＳＴＡクライアント１３０のすべてはＭＩＭＯタイプのものである。
【００２９】
別の変形例によると、システムの一部のアクセスポイントＬＰＣ＿ＡＰ  Ａ、ＬＰＣ＿ＡＰ  Ｂ、およびＡＰ  Ｃ（各々の一部のＳＴＡクライアント）はＭＩＭＯタイプのものであり、他のものはＳＩＳＯタイプのものである。
【００３０】
本発明の有利な特性によると、低電力周波数空間が、低電力セットに属するアクセスポイントに対して予約され、すなわち、ワイヤレス通信を搬送する信号の放出に関するその電力が、特にこの予約空間上で制限される。ゆえに、低電力セットに属するアクセスポイントにより送信される信号の電力は、第１の閾値よりも小さい。したがって、このアクセスポイントにより送信される、および、近隣アクセスポイントにより受信される信号の電力は、第２の閾値よりも小さい。実際のところ、同じ周波数帯域上で送信する２つのワイヤレスアクセスポイントＬＰＣ＿ＡＰ  ＡおよびＬＰＣ＿ＡＰ  Ｂが干渉しないための１つの方途は、それらの放出電力を低減し、したがって、それらのカバレッジ区域を制限することである。しかしながら、アクセスポイントＬＰＣ＿ＡＰ  Ａがその放出電力を低減すると一方的に決める場合、このアクセスポイントは単独で、他のアクセスポイントＬＰＣ＿ＡＰ  ＢおよびＡＰ  Ｃの妨害または干渉に耐えることになる。したがって本発明の１つの着想は、アクセスポイントに共通な低電力ポリシーを、これらのアクセスポイントが集団的にそれらの放出電力を制限するように規定することである。ゆえに、本説明の残りの部分ではＬＰＣと記述される低電力チャネルと呼ばれる複数の周波数帯域が、電力の制限ポリシーを適用するアクセスポイントの通信に対して予約される。低電力ポリシーを適用するアクセスポイントＬＰＣ＿ＡＰ  ＡおよびＬＰＣ＿ＡＰ  Ｂは、ＬＰＣ＿ＡＰと記述される低電力チャネルアクセスポイントと呼ばれる。第１の実施形態によると、５ＧＨｚでの低電力チャネルは、例えば０ｄＢｍから５ｄＢｍの間で固定される第２の閾値よりも小さい受信電力レベルを有し、一方で、通常の電力チャネル（または反対に、高電力チャネル）は、この第２の閾値よりも大きい電力レベルを有する。有利な変形例によると、通常の電力チャネル（または反対に、高電力チャネル）は、一般的には２０ｄＢｍから２５ｄＢｍの間の第３の閾値よりも大きい高電力レベルを有する。第２の実施形態によると、５ＧＨｚでの低電力チャネルは、通常の電力より低いおよそ２０ｄＢの電力レベルである。
【００３１】
下記で説明される異なる構成は、アクセスポイントの近隣アクセスポイントの受信電力レベルにより生成される干渉の事例を例示する。各々のアクセスポイントは、信号を送信するアクセスポイントの識別子（基本サービスセット識別子に由来するＢＳＳＩＤ）を表す情報を含む信号を送出する。この信号は、ビーコンフレームと呼ばれる。ビーコンフレームは、その特性を表す情報も含み、ネットワークに関するメンバーシップであり、ネットワークも識別子により表される。近隣アクセスポイントにより送信される信号を受信するクライアントまたはアクセスポイントは、有利には、受信される信号のＲＳＳＩ（受信信号強度インジケータ（Received Signal Strength Indicator））を推定し、信号を復号して、それから、信号を送信する近隣アクセスポイントの識別子を抽出する。ＲＳＳＩは、異なるアクセスポイント間の干渉レベルを規定することが可能である。
【００３２】
第１の構成ポイントでは、アクセスポイントＬＰＣ＿ＡＰ  ＡおよびＬＰＣ＿ＡＰ  Ｂは、互いに近く置かれ、そのことによって、同じチャネルであって、そのチャネル上でＬＰＣ＿ＡＰ  Ｂが送出する、同じチャネル上で近隣アクセスポイントＬＰＣ＿ＡＰ  Ａから送信される信号が、アクセスポイントＬＰＣ＿ＡＰ  Ｂにより、第２の閾値（受信電力閾値）、例えばＣＣＡ閾値（クリアチャネルアセスメント（Clear Channel Assessment））より上のＲＳＳＩレベルで受信される。アクセスポイントＬＰＣ＿ＡＰ  ＡおよびＬＰＣ＿ＡＰ  Ｂは、例えば一時の空間を予約することにより、経時的に周波数資源を共有するように制約される。ＣＣＡ閾値は典型的には、２０ＭＨｚチャネルでは−８２ｄＢｍである。
【００３３】
第２の構成では、アクセスポイントＬＰＣ＿ＡＰ  ＡおよびＬＰＣ＿ＡＰ  Ｂは、十分に近く置かれ、近隣アクセスポイントＬＰＣ＿ＡＰ  Ａから送信される信号が、ＣＣＡレベルより上の、ただしそれでもなおビーコンの検出レベルより下のＲＳＳＩレベルで受信される。このビーコンは実際のところ、ロバストな変調モードを使用することにより送信され、ビーコンフレームに関連する検出のレベルは、典型的には−１００ｄＢｍである。この事例では送信は、有意な悪化を伴うことなく同じチャネル上で２つのワイヤレスアクセスポイントにより同時に行われ得る。
【００３４】
第３の構成では、アクセスポイントＬＰＣ＿ＡＰ  ＡおよびＬＰＣ＿ＡＰ  Ｂは、他方のノイズレベルを増大するだけであるように、互いから相当に離れて置かれる。影響は、同じ周波数での多数のチャネルが互いに干渉する場合に有意であるのみである。影響は、１９個の周波数チャネルを含む５ＧＨｚネットワークに制限される。
【００３５】
第４の構成では、一部のアクセスポイントは多くの理由で電力制限ポリシーを適用せず、これらのアクセスポイントは適合せず、これらのアクセスポイントは、高電力によって送信せずに離れたクライアントに到達することは可能ではない。この示される構成図１によると、アクセスポイントＬＰＣ＿ＡＰ  ＡおよびＬＰＣ＿ＡＰ  Ｂは低電力ポリシーを適用し、これらのアクセスポイントは協働的と呼ばれる。アクセスポイントＡＰ  Ｃは制限ポリシーを適用せず、ＡＰ  Ｃは非協働的と呼ばれる。それがＬＰＣ＿ＡＰ  ＡおよびＬＰＣ＿ＡＰ  Ｂと同じチャネルを占有する場合、非協働的アクセスポイントＡＰ  Ｃは、したがって、協働的アクセスポイントＬＰＣ＿ＡＰ  ＡおよびＬＰＣ＿ＡＰ  Ｂの通信を妨害する。これに対して、本説明の残りの部分で認められるように、個別の実施形態によると、協働的アクセスポイントは、それらが全てでＬＰＣチャネルを占有する場合、非協働的アクセスポイントに、協働的アクセスポイントにより使用されるものとは異なるチャネルを使用するように仕向けることになる。
【００３６】
別の構成によると、空間内のアクセスポイントＬＰＣ＿ＡＰ  Ａ、ＬＰＣ＿ＡＰ  Ｂ、ＡＰ  Ｃ、およびＳＴＡクライアントの構成は、前に説明された構成の少なくとも２つの組み合わせである。最後に別の構成によると、例えばレーダ信号などの、ワイヤレス通信を妨害する他のタイプの信号は、それらの送信中、ワイヤレス通信の存在を考慮しない。
【００３７】
本発明の特に有利な実施形態によると、ＬＰＣ＿ＡＰ  ＡおよびＬＰＣ＿ＡＰ  Ｂアクセスポイントは、ビーコンフレーム信号を、他の信号に対してよりも高い電力によって送信する。この実施形態は、低電力ポリシーの実現に特に良好に適合する第５の構成につながる。この実施形態は、ビーコンフレーム信号が有利には、より高い電力レベルがビーコンフレームに対して合成されることを可能にする、電力増幅器の最適の構成に適合したロバストな変調モードを使用する、特徴を用いる。ゆえに同じアクセスポイントに対して、ビーコンフレームのカバレッジ区域が、通信信号のカバレッジ区域よりも拡張される。実際にはビーコンフレームの放出電力レベルは、この実施形態の変形例によると１０ｄＢｍに達する。有利にはこのレベルは、他の変形例によると、ビーコンフレームの受信区域を広げるように、２０ｄＢｍ、または２５ｄＢｍまでも上回る。この実施形態では、２つのアクセスポイントＬＰＣ＿ＡＰ  ＡおよびＬＰＣ＿ＡＰ  Ｂのそれぞれのビーコンフレームは、それらのそれぞれのＣＣＡ閾値より高い電力レベルで受信され、一方で、アクセスポイントの、それらのそれぞれのクライアントとの通信は、それらのそれぞれのＣＣＡ閾値より低い電力レベルで受信される。したがってアクセスポイントは有利には、それらのカバレッジ区域内に置かれるクライアントとのそれらの通信での互いの干渉に耐える必要がない。さらに、ビーコンフレームが、制限された持続時間を有すると仮定すると、ことによるとアクセスポイントのビーコンフレームにより生成される干渉は、他のアクセスポイントからの通信に関して無視できることになる。最後にこの実施形態は、低電力ポリシーの実現に特に良好に適合するものであり、その理由は、それが、低減された通信に対するカバレッジ区域と、広いネットワーク内の近隣のものの検出区域とを組み合わせることが可能であるからである。実際のところこの実施形態では、第１の閾値よりも小さい、通信に対する制限された送信電力は、ビーコンフレームに対するアクセスポイントのより拡張されたカバレッジ区域と両立可能である。したがって低電力アクセスポイントは、その近隣のものまたは複数の近隣のものもまたＬＰＣであること、それらがそれと同じチャネル上で送信すること、それらがその通信を妨害しないことになること、および、その近隣のものと同じチャネル上で送出することにより、それがＬＰＣ集団を増大することの情報を有することになる。
【００３８】
ゆえに図１は本発明の利点をさらに例示することが可能であり、その利点によると、異なる協働的アクセスポイントＬＰＣ＿ＡＰ  ＡおよびＬＰＣ＿ＡＰ  Ｂによるチャネルの多重占有が、非協働的アクセスポイントＡＰ  Ｃのこのチャネル上での存在を防止することが可能である。ＬＰＣ＿ＡＰ  ＡおよびＬＰＣ＿ＡＰ  Ｂが同じチャネルを使用する場合、それらは相互干渉により妨害されず、その理由は、ＬＰＣ＿ＡＰ  Ｂにより受信されるＬＰＣ＿ＡＰ  Ａのビーコンフレーム信号の電力レベルはＬＰＣ＿ＡＰ  ＢのＣＣＡ閾値より下であり、その逆も同様であるからというものである。同じチャネルのこの占有が、チャネル周波数を使用しようと努める非協働的アクセスポイントＡＰ  Ｃに、ＬＰＣ＿ＡＰ  ＡおよびＬＰＣ＿ＡＰ  Ｂにより共有されるものについては、このチャネル周波数は多重様式で占有されることになるので、このチャネル周波数とは別個のチャネル周波数を選択するように仕向けることになる。
【００３９】
有利な変形例によると、例えば通信ネットワークのアクセスゲートウェイにリンクされるアクセスポイントは、ネットワークに対するアクセスオペレータにより制御される。この変形例は、共通の電力の、およびすべてのアクセスポイントに集中される制限ポリシーを、オペレータのレベルで規定することが可能であるという利点を有する。いくつかのオペレータが、一体で係わる場合もある。別の変形例によるとアクセスポイントは、例えばＷｉ−Ｆｉ  ｄｉｒｅｃｔ（登録商標）ポリシーを順守する電子デバイス内に置かれる。この変形例では、電力制限の共通のポリシーの規定が、デバイスの製造業者のレベルで可能である。アクセスポイントの大部分は、ＡＰ、ルータ、および多くの場合はＥｔｈｅｒｎｅｔスイッチを含む融合デバイスを意味するワイヤレスルータである。多くのものは、ゲートウェイまたは広帯域モデムも含む。アクセスポイントは、パーソナルコンピュータ（ＰＣ）内で実現される場合もある。
【００４０】
個別の特徴によると、低電力チャネル上で近隣アクセスポイントから受信される電力が、信号がクライアントに移送するのがビーコンフレームであろうと通信データであろうと、アクセスポイントにより受信される任意の信号の電力により規定される。このことは、このチャネル上で受信される信号のＲＳＳＩの最大値が、閾値、例えばＣＣＡ閾値よりも小さいことを意味する。
【００４１】
別の個別の特徴によると、低電力チャネル上で近隣アクセスポイントから受信される電力が、アクセスポイントにより受信される任意の信号の平均電力により規定される。このことは、信号の活動時間に関連している、このチャネル上で受信される信号のＲＳＳＩの和が、閾値、例えばＣＣＡ閾値よりも小さいということを意味する。
【００４２】
別の個別の特徴によると、低電力チャネル上で近隣アクセスポイントから受信される電力が、クライアントに通信データを移送するアクセスポイントにより受信される任意の信号の電力により規定される。この特徴によると、低電力チャネル上でのアクセスポイントの受信電力は、ビーコンフレームに対して信号を考慮しない。この特性はある実施形態で特に良好に適合するものであり、その実施形態によると、ビーコンフレームを移送する信号の電力レベルは、通信データを移送する信号のものよりも大きい。このことは、閾値、例えばＣＣＡ閾値での、クライアントに通信データをこのチャネル上で搬送する、受信される信号のＲＳＳＩの最大値において認められる。
【００４３】
図２は、例えば図１のアクセスポイントＬＰＣ＿ＡＰ  ＡまたはＬＰＣ＿ＡＰ  Ｂに対応する、アクセスポイント２のハードウェア実施形態を図示する。
【００４４】
アクセスポイント２は、クロック信号もまた移送するアドレスおよびデータのバス２４により互いに接続される以下の要素、すなわち、
−  マイクロプロセッサ２１（またはＣＰＵ（中央処理装置））、
−  ＲＯＭ（「読出し専用メモリ」）タイプの不揮発性メモリ２２、
−  ランダムアクセスメモリ、すなわちＲＡＭ２３、
−  無線インターフェース２６、
−  データの送信（例えば、サービスのブロードキャスティング、または、ポイントツーマルチポイントもしくはポイントツーポイント送信）に適合した、ならびに、とりわけ、符号器および／またはＯＦＤＭ変調器の機能を実行する、インターフェース２７、
−  ユーザに対する情報の表示、および／または、データもしくはパラメータの入力（例えば、送信されるべき副搬送波およびデータのパラメータ化）に適合した、ＭＭＩ（マンマシンインターフェース）インターフェース２８または特定のアプリケーション
を備える。
【００４５】
メモリ２２および２３の説明で使用される単語「レジスタ」は、述べられるメモリの各々で、低容量のメモリ区域（若干のバイナリーデータ）、および、（記憶されるべきプログラム全体、または、受信された、もしくはブロードキャストされるべきデータを表すデータの、すべてもしくは一部を可能にする）大容量のメモリ区域を表わすということが留意される。
【００４６】
メモリＲＯＭ２２は特に、
−  「ｐｒｏｇ」２２０プログラム、および、
−  物理層のパラメータ２２１
を備える。
【００４７】
本発明に特有の方法のステップを実現し、下記で説明されるアルゴリズムが、これらのステップを実現するアクセスポイント２に関連するＲＯＭ２２メモリ内に記憶される。電源投入されるとき、マイクロプロセッサ２１は、これらのアルゴリズムの命令を読み込み、実行させる。
【００４８】
ランダムアクセスメモリ２３は特に、
−  レジスタ２３０内の、アクセスポイント２をスイッチオンすることを担うマイクロプロセッサ２１のオペレーティングプログラム、
−  送信パラメータ２３１（例えば、変調、符号化、ＭＩＭＯ、フレーム再現パラメータ）、
−  受信パラメータ２３２（例えば、変調、符号化、ＭＩＭＯ、フレーム再現パラメータ）、
−  入来のデータ２３３、
−  データの送信のための符号化されたデータ２３４、および、
−  物理チャネルパラメータ２３５（例えば、アクセスポイント２によるデータの送信での、低電力ポリシーの適用、決定された周波数帯域の、決定された周波数帯域幅の、決定された時間スロットの、決定された符号の、ＬＰＣ予約チャネル割り当ての周波数帯域、および／または、決定された副搬送波間隔）
を備える。
【００４９】
無線インターフェース２６は、必要であるならば、図１に示される１または複数のクライアントまたはアクセスポイントによる、信号の受信に適合する。インターフェース２７は、必要であるならば、図１に示される１または複数のクライアントまたはアクセスポイントへの、信号、特に、ＬＰＣセットのメンバーシップを表す情報の要素の送信に適合した送信機である。
【００５０】
図３は、例えば図１のＳＴＡクライアントに対応する、クライアント３のハードウェア実施形態を図示する。ＳＴＡクライアントは、携帯電話、スマートフォン、ＰＣ、タブレット、カメラ、またはプリントデバイスなどのＷｉ−Ｆｉネットワークに接続することが可能である任意のタイプの電子デバイスを含み得る。これらのデバイスの大部分は、ポータブルデバイスである。クライアント３は、クロック信号もまた移送するアドレスおよびデータバス３４により一体に接続される以下の要素、すなわち、
−  マイクロプロセッサ３１（またはＣＰＵ（中央処理装置））、
−  ＲＯＭ（「読出し専用メモリ」）タイプの不揮発性メモリ３２、
−  ランダムアクセスメモリ、すなわちＲＡＭ３３、
−  無線インターフェース３６、
−  データの送信（例えば、サービスのブロードキャスティング、または、ポイントツーマルチポイントもしくはポイントツーポイント送信）に適合した、および、とりわけ、符号器の機能を遂行する、インターフェース３７、
−  ユーザに対する情報のディスプレイ、および／または、データもしくはパラメータの入力に適合した、ＭＭＩ（マンマシンインターフェース）３８または特定のアプリケーション
を備える。
【００５１】
メモリ３２および３３の説明で使用される単語「レジスタ」は、述べられるメモリの各々で、低容量のメモリ区域（若干のバイナリーデータ）、および、（記憶されるべきプログラム全体、または、受信された、もしくはブロードキャストされるべきデータを表すデータの、すべてもしくは一部を作動化する）大容量のメモリ区域を表わすということが留意される。
【００５２】
メモリＲＯＭ３２は特に、
−  「ｐｒｏｇ」３２０プログラム、および、
−  物理層のパラメータ３２１
を備える。
【００５３】
本発明に特有の方法のステップを実現し、下記で説明されるアルゴリズムが、これらのステップを実現するクライアント３に関連するＲＯＭ３２メモリ内に記憶される。電源投入されるとき、マイクロプロセッサ３１は、これらのアルゴリズムの命令を読み込み、実行させる。
【００５４】
ランダムアクセスメモリ３３は特に、
−  レジスタ３３０内の、クライアント３をスイッチオンすることを担うマイクロプロセッサ３１のオペレーティングプログラム、
−  送信パラメータ３３１（例えば、変調、符号化、ＭＩＭＯ、フレーム再現パラメータ）、
−  受信パラメータ３３２（例えば、変調、符号化、ＭＩＭＯ、フレーム再現パラメータ）、
−  入来のデータ３３３、
−  データの送信のための符号化されたデータ３３４、
−  低電力ポリシーの適用を表すパラメータ３３５（例えば、低電力チャネル上での送信電力のレベル）
を備える。
【００５５】
無線インターフェース３６は、必要であるならば、図１のネットワーク１００の１または複数の他のアクセスポイントＡＰまたはＬＰＣ＿ＡＰによる、信号の受信に適合する。
【００５６】
図４は、本発明の特に有利な非制約的な実施形態による、図１のワイヤレスネットワーク１００の構成のための方法を示す。
【００５７】
周波数空間を予約するためのステップ４０の間に、異なるオペレータおよび／またはコンストラクタが、電力の制限ポリシーを適用するアクセスポイントに対して予約される周波数空間を規定する。この空間は、一組の一般的には連続的なチャネルを含み、それらのチャネルの周波数帯域は、ことによると、ローカルワイヤレスネットワークが配備される国に、および、ワイヤレス通信規格に依存する。チャネルは、すべての協働的アクセスポイントに対する、すなわち、周波数および電力の共同割り当てポリシーを適用することに決めているアクセスポイントに対する、低電力チャネルとして規定される。しかしながら、協働的アクセスポイントに対する低電力チャネルは、非協働的アクセスポイントに対する何らかのチャネルとなる。有利にはアクセスポイントは、低電力チャネル上で送信しないにもかかわらず協働的である。実際のところ、個別の構成（例えば、すべてのチャネルが受信電力アクセスポイントにより占有される）によるアクセスポイントは、低電力ポリシーを順守しながらＬＰＣチャネル上で送信することは可能ではなく（それは、他のものを妨害しないように非予約チャネル上で送信する）、アクセスのこのポイントは協働的である。このステップの間に、この空間のパラメータを決定することが必要であり、それらのパラメータの中で挙げられ得るものは、低電力チャネルの数、スペクトル内の占有される周波数帯域である。第１の実施形態によると、低電力チャネルの数は高く（すなわち、第１の規定された閾値よりも大きく）、例えば１０よりも大きい。この実施形態は、家の中の、すなわち、異なるアクセスポイントに近い空間内の、干渉を制限するという利点を有する。この実施形態はさらに、低電力ポリシーを適用するアクセスポイントの数が高いときに特に良好に適合する。例えば単一のＬＰＣチャネルは、ビルディングなどの閉鎖的な空間内に２０個の低電力アクセスポイントを保持するのに十分ではないことになる。第２の実施形態によると、低電力チャネルの数は低く（すなわち、第２の規定された閾値よりも小さく）、例えば２に制限される。この実施形態は、非協働的アクセスポイントにより妨害される確率を低減するという利点を有し、その理由は、この確率が、低電力アクセスポイントにより占有されるスペクトルの幅とともに増大するからというものである。例えば、上記で述べられた２０個のアクセスポイントの中で、１６個のアクセスポイントが協働的であり、１６個の別個のＬＰＣチャネルを占有する場合、それらの一部は、それらの送信チャネル内の非協働的アクセスポイントの存在を我慢しなければならなくなるという可能性が高く、その理由は、４つの非協働的アクセスポイントが、干渉することなしに送信するための充分な数の別個のチャネルを有さないことになり、それら自体を一部のＬＰＣチャネル上に配置することになるからというものである。有利な実施形態によると、予約チャネルの数は、非協働的アクセスポイントの数に対する協働的アクセスポイントの比数（ratio number）に依存することになり、すなわち、比が高くなるほどＬＰＣチャネルの数は高くなる。最後に、スペクトル内で占有される周波数帯域のパラメータに対して、スペクトル内の決定された順位（place）、すなわち、他のものに対しての事前に与えられることになる優先度は存在しない。
【００５８】
次に、その後の低電力セットの構成ステップ４１の間に、協働的と規定され、電力制限を順守することにより低電力チャネル上で送信するアクセスポイントが構成される。この構成ステップの間に、ネットワーク、例えば周波数の５ＧＨｚ帯域を使用するＷｉ−Ｆｉネットワークの、少なくとも１つの低電力アクセスポイントの１または複数のパラメータが構成される。構成するパラメータは、アクセスポイントに、低電力セットに関するそのメンバーシップ、すなわちその協働的特色に関して、協働的アクセスポイントに対する周波数空間の予約に関して、および、チャネル割り当て方法に関して通知することが可能である。構成されることになるパラメータは、
−  アクセスポイントの協働的（ＬＰＣ）または非協働的特色を表すパラメータ、
−  物理層パラメータ、すなわち例えば、送信チャネル周波数、送信電力、ＬＰＣ構成方法の異なる閾値レベル
を含む群に属する。
【００５９】
変形例によると、パラメータの群は、上記で列挙されたパラメータの単一または２つを含むだけである。別の変形例によると、構成されることになる第１のパラメータは、上記で規定されたパラメータの群の少なくとも２つのパラメータの組み合わせ、例えば、ＬＰＣ特色を表すパラメータを物理層パラメータに関連付ける組み合わせである。
【００６０】
図５は、低電力アクセスポイントでの、本発明の非制約的な特に有利な実施形態によるチャネル割り当て方法を示す。
【００６１】
初期化ステップ５０の間に、アクセスポイントの様々なパラメータが構成される。特に、アクセスポイントのＬＰＣ特色の情報に、送信する信号の電力レベルに、必要であるならば低電力チャネルに対応するパラメータが、任意の様式で初期化される。変形例によると初期化ステップは、ワイヤレス通信システムのサーバーによって、またはオペレータからのコマンドによってでも送信される構成メッセージの受信に続く。この変形例は、すでに配備されている一組のアクセスポイントに対する既存の構成を構成または更新することが可能であるという利点を有する。別の変形例ではこのステップは、アクセスポイントを集積する電子デバイスの製造の間に現実化される。
【００６２】
次にチャネル割り当てステップの間に、各々のアクセスポイントは、とりわけ構成されたパラメータによって、ただしスペクトルの占有にもよって、チャネルであって、そのチャネル上でアクセスポイントが送信することが可能である、チャネルを決定する。
【００６３】
ゆえにチャネル割り当てステップのサブステップ５１の間に、アクセスポイントは、その受信帯域の周波数上で受信される信号、とりわけ、ネットワーク内に存在するあり得る他のアクセスポイントにより送信されるビーコンフレームを検出する。有利にはアクセスポイントは、これらのチャネル上で近隣アクセスポイントにより送信される異なるビーコンフレーム信号の受信電力を推定する。変形例によるとアクセスポイントは、近隣アクセスポイントのビーコンフレーム信号の送信レベルの情報の要素によって受信電力レベルを調整する。別の変形例によるとアクセスポイントは、これらのチャネル上で近隣アクセスポイントにより送信される異なる信号の受信電力を推定する。別の変形例によるとアクセスポイントは、これらのチャネル上で近隣アクセスポイントにより送信される異なる信号の受信電力を表す情報の要素を受信する。このようにしてアクセスポイントは、使用されるチャネルのスペクトル、存在する協働的および非協働的アクセスポイントのリスト、使用される低電力チャネルのリスト、ならびに、図６に示されるようなこれらのチャネル上での異なる近隣アクセスポイントの受信電力を設定する。
【００６４】
次にチャネル割り当てステップのサブステップ５２の間に、低電力アクセスポイントは、予約チャネルの中から送信するチャネルを選択する。
【００６５】
第１の変形例によると、ＬＰＣチャネルが使用されないならば、ＬＰＣアクセスポイントは、ランダムにＬＰＣチャネルの中からチャネルを選択する。
【００６６】
第２の変形例によると、高受信電力レベルを伴うアクセスポイントにより占有されないＬＰＣチャネルの中から、ＬＰＣアクセスポイントは、ＬＰＣチャネルであって、そのチャネル上で最大数のＬＰＣアクセスポイントが送信する、ＬＰＣチャネルを選択する。例えば高受信電力レベルでのアクセスポイントは、非協働的アクセスポイントによるか、非常に近い空間内に置かれる近隣協働的アクセスポイントによるかのいずれかであり、それらのアクセスポイントの電力であって、チャネルを選択するために探すＬＰＣアクセスポイントにより受信される、電力は、閾値、例えばＣＣＡ閾値よりも大きい。有利には、チャネルごとのＬＰＣアクセスポイントの最大数が決定される。ＬＰＣアクセスポイントは、ＬＰＣチャネルであって、そのチャネル上で最大数のＬＰＣアクセスポイントが送信している、ただしＬＰＣアクセスポイントのこの数は、決定された最大数よりも小さい、ＬＰＣチャネルからチャネルを選択する。決定された最大数が達せられるならば、ＬＰＣアクセスポイントは、このチャネル上に存在するＬＰＣアクセスポイントの数の減少する順序で別のＬＰＣチャネルを選択するものであり、この数は、決定された最大数よりも小さくなければならない。２つの別個のチャネル上に存在するＬＰＣアクセスポイントの数が同じである事例では、ＬＰＣアクセスポイントは有利には、この最弱のチャネル上での信号の平均電力によってＬＰＣチャネルを選択する。
【００６７】
第３の変形例によると、すべてのＬＰＣチャネルが、高受信電力レベルを伴うアクセスポイントにより占有されるならば、ＬＰＣアクセスポイントは有利には、ＬＰＣでない、すなわち、予約周波数空間の外側にあるチャネルを選択する。このためにアクセスポイントは、当業者により知られている方法によってチャネルを選択する。
【００６８】
最後に情報送信ステップ５３の間に、チャネルを選択したアクセスポイントが、電力の制限ポリシーに対するそのメンバーシップを表す情報の基本要素を送信する。好適な実施形態によるとアクセスポイントは、情報のこの基本要素を含むビーコンフレーム信号を送信する。ビーコンフレームは有利には、規格ＩＥＥＥ  ８０２．１１−２００７またはＩＥＥＥ  ８０２．１１−２０１２に準拠する。アクセスポイントのＬＰＣ情報の送信の実現は、規格内で利用可能な情報要素（ＩＥと記述される）によって現実化される。ビーコンフレームにより送信されるこの要素によって有利には、協働的アクセスポイントが、そのカバレッジ区域内の近隣アクセスポイントおよびクライアントに、電力の制限に関する協働的アクセスポイントのセットのそのメンバーシップに関する情報を提供することが可能になる。ゆえに、協働的アクセスポイントのセットは互いに認識することになる。
【００６９】
実施形態の改善によると、協働的アクセスポイントは、非協働的アクセスポイントまたは干渉の発生源（レーダ発生源など）がこのチャネル上に出現する場合、チャネルを変更する、すなわち、割り当てステップを反復することが可能である。その上、協働的アクセスポイントは、その送信チャネルおよびその電力レベルをその環境に適合させるように、低電力協働的モードから非協働的モードに動的に移行することが可能である。この実施形態は、協働的アクセスポイントのＳＴＡクライアントの１つがモバイルであり、制限された電力によってカバーされる区域から離れて移動する例に良好に適合する。この事例では、アクセスポイントはその結果として、ビーコンフレームの情報を修正する。
【００７０】
図６は、個別の実施形態による、検出されたスペクトルの例を示す。５から１５と番号が付けられた、スペクトルの異なるチャネル６１が示されている。各々のチャネルに対して、周波数割り当てステップの間にアクセスポイントにより検出される近隣アクセスポイントの数６２もまた示されている。６〜１４と番号が付けられたチャネルは、ＬＰＣチャネルを含む予約周波数空間に属する。ゆえに、利用可能な９つのＬＰＣチャネルの中から、６つのＬＰＣチャネルのみ（すなわち、チャネル６から９、１１、および１２）が、ＣＣＡ閾値６３より下の電力レベルによって通信をこれらの周波数上で受信する。これらの６つの残存するＬＰＣチャネルの中から、５つのみが、協働的アクセスポイントにより現実に占有されている。前に説明された割り当てステップの変形例によると、ＬＰＣチャネル７または８の１つは、これらのＬＰＣチャネルが最大数６２（すなわち３）のアクセスポイントを含むので、ＩＰＣチャネル割り当てステップの間にアクセスポイントにより選択されることになる。数３は、ＬＰＣチャネルごとのＬＰＣアクセスポイントの決定された最大数より下であることがさらに想定されている。割り当てステップの別の変形例によると、ＬＰＣアクセスポイントは有利には、ＲＳＳＩ平均電力判定基準に基づいて、チャネル７およびチャネル８からＬＰＣチャネルを選択する。
【００７１】
当然ながら本発明は、前に説明された実施形態に制限されない。
【００７２】
特に本発明は、図１に示されるような２つの協働的アクセスポイントを備えるネットワークに制限されない。特に本発明は、無認可帯域通信に良好に適合する。ネットワークは、５ＧＨｚ周波数帯域を使用するＷｉ−Ｆｉ（登録商標）ネットワークに制限されるものではなく、例えばＨｉｐｅｒＬＡＮ２、または、ＬＴＥ（ロングタームエボリューション）を使用する、もしくはＨＳＤＰＡ（高速ダウンリンクパケットアクセス）を使用するフェムトセルなどの、任意のＷＬＡＮタイプワイヤレスネットワークに伸展する。同じ方途でネットワークは、例えば、２．４ＧＨｚ周波数帯域を使用するＷｉ−Ｆｉネットワーク（規格ＩＥＥＥ  ８０２．１１ｂまたはＩＥＥＥ  ８０２．１１ｇ）、Ｂｌｕｅｔｏｏｔｈ型ネットワーク（規格ＩＥＥＥ  ８０２．１５．１）、ＷｉＭａｘ（規格ＩＥＥＥ  ８０２．１６）、ＲＡＮ（リージョナルアクセスネットワーク、規格ＩＥＥＥ  ８０２．２２）、またはＥＴＳＩ  ＨｉｐｅｒＰＡＮネットワークなどの、タイプＷＬＡＮまたはＷＰＡＮ（ワイヤレスパーソナルエリアネットワーク）の任意のワイヤレスネットワークに伸展する。本発明は、ネットワークのタイプに制限されるものではなく、共存するネットワークの任意のセットに伸展し、それは、周波数および電力の共同構成に関して強調するような様式で伸展することが可能である。
【００７３】
特に本発明は、説明された周波数割り当てステップにも制限されない。任意の既存の割り当て手順が、このＬＰＣチャネル上でのＬＰＣアクセスポイントの送信電力が電力の制限判定基準を満たすならば直ちに、本発明と両立可能である。
【図１】
2015521002.tif 000003
【図２】
2015521002.tif 000004
【図３】
2015521002.tif 000005
【図４】
2015521002.tif 000006
【図５】
2015521002.tif 000007
【図６】
2015521002.tif 000008
【国際調査報告】
2015521002.tif 000009
2015521002.tif 000010
2015521002.tif 000011